(57)【要約】      （修正有）【課題】  都会に育つ児童が昆虫等に接触する機会が少なくなりつつある現状に鑑み、農山村で採集できる種々の昆虫等を使用済みペットボトルで作った飼育ケースに入れ、安価で安全な昆虫等の飼育セットを提供しようとする。【解決手段】上記課題を解決するため、本発明の飼育ケースは、透明のペットボトル１に通気孔３を設けて飼育ケースとする。  また、本発明の昆虫等の飼育セットＢは、透明のペットボトル１に通気孔３を設けて作られたペットボトル製の飼育ケースに、昆虫等を収容してセットにする。  また、透明のペットボトル１に通気孔３を設けて作られたペットボトル製の飼育ケースに、昆虫等と共に緩衝材兼休息具１０を収容してセットにする。【選択図】  図３
2006271353.tif 000002
【特許請求の範囲】
【請求項１】
透明のペットボトルに通気孔を設けて作られたことを特徴とするペットボトル製飼育ケース。
【請求項２】
透明のペットボトルに通気孔を設けて作られたペットボトル製飼育ケースに、昆虫等を収容してセットにしたことを特徴とする昆虫等の飼育セット。
【請求項３】
透明のペットボトルに通気孔を設けて作られたペットボトル製飼育ケースに、昆虫等と共に緩衝材兼休息具を収容したことを特徴とする昆虫等の飼育セット。
【発明の詳細な説明】
【技術分野】
【０００１】  本発明は、昆虫等の飼育に用いるペットボトル製飼育ケースとその飼育ケースを用いた昆虫等の飼育セットに関するものである。
【背景技術】
【０００２】  ペットボトルの有効利用に関する先行技術として、「生花郵送瓶」がある（例えば、特許文献１参照）。
昆虫の飼育セットに関する先行技術として、「昆虫飼育セット」がある（例えば、特許文献２参照）。
輸送する飼育セットに関する先行技術として、「宅配用昆虫セット」がある（例えば、特許文献３参照）。
【特許文献１】  特開２００２−１９３３７０号公報（請求項１，図１〜５）
【特許文献２】  特開２００２−５８３９０号公報（請求項１〜２，図１〜３）
【特許文献３】  実開平２−３６９６７号公報（請求項１，図１〜２）
【発明の開示】
【発明が解決しようとする課題】
【０００３】  都会に育つ児童が昆虫等に接触する機会が少なくなりつつある現状に鑑み、農山村で採集できる種々の昆虫等を使用済みペットボトルで作った飼育ケースに入れ、安価で安全な昆虫等の飼育セットを提供しようとするものである。そのための輸送時において、飼育ケース内に収容した昆虫等が受ける衝撃を緩和するための緩衝材や、収容した昆虫等が止まったり潜んだりする休息具などを入れ、昆虫等が傷ついたり弱ったりするのを防ごうとするものである。また、その緩衝材と休息具を兼用させ、省スペース化を図ろうとするものである。さらに、使用済みペットボトルの有効利用と農山村の産業活性化を図ろうとするものでもある。
【課題を解決するための手段】
【０００４】  上記課題を解決するため、本発明の飼育ケースは、透明のペットボトルに通気孔を設けて飼育ケースとする。【０００５】  また、本発明の昆虫等の飼育セットは、透明のペットボトルに通気孔を設けて作られたペットボトル製の飼育ケースに、昆虫等を収容してセットにする。【０００６】  また、透明のペットボトルに通気孔を設けて作られたペットボトル製の飼育ケースに、昆虫等と共に緩衝材兼休息具を収容してセットにする。
【発明の効果】
【０００７】  本願構成のペットボトル製飼育ケースは、使用済みペットボトルの再利用が可能であり、安価に提供することができる。なお、ペットボトルに通気孔を開ける加工も簡易な工具を用いてできるので、実用的にペットボトルの再利用を図ることができる。さらに、ペットボトルは、被覆シートを剥がすことによって、全方位から観察できる実用的な飼育ケースとして再利用できると共に、容量、高さ、形状等をほぼ均一に揃えることができ、流通経路に乗せる上でも好都合である。
また、本願構成のペットボトル製飼育ケースは、口筒部の口径サイズにより収容する昆虫等の最大サイズが制限され、大型昆虫等を排除することができるので好都合である。というのは、大型昆虫等を排除することによって、噛んだり挟んだりする昆虫等を飼育する場合にも、噛まれたり挟まれたりする被害を軽少に抑えることができ、年少者を対象にした安全な飼育ケースとして提供することができるものである。
また、本願構成のペットボトル製の飼育ケースは、口筒部が細くなっているので、餌をやる場合などにおいて昆虫等の逃亡を防ぎやすいので好都合である。【０００８】  上記飼育ケースを用いた昆虫等の飼育セットは、上記効果を得ると共に、農山村で採集できる種々の昆虫等を商品化することにより、農山村の産業活性化と、都会に育つ児童に昆虫等に接触する機会を与えることに貢献するものである。
また、本願構成の飼育セットは、飼育ケースと昆虫等を低コスト低リスクで商品化することができるので、農山村の産業活性化事業としての実施が容易である。
また、本願構成の飼育セットに、飼育基準日を表示した場合、種々の昆虫等の平均的な飼育日数を知る手がかりにすることができるので好都合である。【０００９】  緩衝材兼休息具は、飼育ケース内に収容した昆虫等が受ける衝撃を緩和する緩衝材としての機能と、止まったり潜んだりする休息具としての機能とを兼用させたことによって、飼育ケース内に収容した昆虫等の活動空間を確保しつつ、省スペース的にその両機能を発揮し、昆虫等が傷ついたり弱ったりするのを防ぐ効果が高い。従って、狭小なペットボトル製飼育ケースに緩衝材兼休息具を用いたことによる効果は大きい。
また、緩衝材兼休息具を収容した本願構成の飼育セットは、飼育ケースを立てた状態と寝かせた状態とで、昆虫等の行動空間の形態および昆虫等と緩衝材兼休息具との位置関係が変わることによって、昆虫等の行動方向や行動姿勢に変化が見られるので、飼育や観察の興趣を高める効果がある。
また、植物の枝葉を緩衝材兼休息具として用いることにより、飼育ケース内の乾燥防止や温度上昇を抑えることができる。
また、スポンジを緩衝材兼休息具として用いる場合、植物の枝葉のように枯れない上、砂糖水などを含ませて、餌と水分の補給を図ることができる。
【発明を実施するための最良の形態】
【００１０】  本願でのペットボトルとは、清涼飲料などの容器に多用されている口筒部が細く作られた合成樹脂製の細口瓶をいい、望ましくは、使用済みのペットボトルを再利用する。
透明のペットボトルには、内部の状況が観察可能な半透明のペットボトルが含まれる。
本願によるペットボトル製飼育ケースは、清涼飲料などのペットボトルを再利用することができるほか、未使用の飲料用ペットボトルなどを転用することもでき、専用のペットボトルを作らなくても良いので、安価に提供することができるものである。
ペットボトルに通気孔を開ける加工は、簡易な工具、例えば錐や電気ドリルを用いて容易に実施でき、実用的にペットボトルの再利用を図ることができる。
通気孔を開ける部位については、キャップ部も含まれる。また、通気孔の大きさについては、勿論、収容する昆虫等が逃げ出さない程度の大きさまでに制限されるものである。また、ペットボトルの強度を弱めない程度の大きさに加工することが望ましい。なお、通気孔の形状はスリット状であっても良い。孔の数についても、ペットボトルの強度を弱めない程度の数に設定することが望ましい。
ペットボトルは、容量３００ｍｌ〜１８００ｍｌ程度のものを用いることが望ましい。
清涼飲料などの容器に使われていたペットボトルは、商品名等を表示している被覆シートを剥がすことによって、全方位から観察できる実用的な飼育ケースとなるほか、容量、高さ、形状等をほぼ均一に揃えることが可能である。
清涼飲料などの容器に使われているペットボトルは、口筒部の口径サイズが略一定であり、収容する昆虫等の最大サイズが制限され、大型昆虫等を排除することができる。この場合、噛んだり挟んだりする昆虫等を飼育する場合にも、噛まれたり挟まれたりする被害を軽少に抑えることができ、年少者を対象にした安全な飼育ケースとして提供することができる。【００１１】  ペットボトル製飼育ケースを用いた昆虫等の飼育セットには、農山村で採集できる種々の昆虫等を収容する。
本願にいう昆虫等には、昆虫のほか陸生の小動物、例えば、カタツムリ、蟹、ヤドカリなどの小動物を含むものである。
また、ペットボトル製飼育ケースには、収容する昆虫等の飼育基準日を表示することが望ましい。
飼育基準日は、収容する昆虫等の採集日や出荷日など、飼育上の基準となる日を定めた上で表示する。
飼育基準日は、商品名表示シールに表示したり、収容されている昆虫名などと共に記載したりすることが望ましい。【００１２】  緩衝材兼休息具は、飼育ケース内に収容した昆虫等が受ける衝撃を緩和するための緩衝材と、収容した昆虫等が止まったり潜んだりするための休息具とを兼用させることによって、省スペース化を図り、狭小なペットボトル製飼育ケースに適したものにしようとするものであって、植物の枝葉やスポンジを用いることが望ましい。
緩衝材兼休息具は、口筒部より飼育ケース内に収容するに支障ない形状、太さ、長さ、に形成する。
緩衝材兼休息具としての植物の枝葉やスポンジは、収容した昆虫等の活動を抑制したり、飼育ケース内の空気の流通を阻害したりしないようにする。
緩衝材兼休息具として植物の枝葉を用いる場合、飼育ケース内の乾燥防止や温度上昇を抑えることができる。
また、緩衝材兼休息具としてスポンジを用いる場合、砂糖水などを含ませて、餌と水分の補給を図ることが望ましい。
【実施例１】
【００１３】    以下図面に基づいて実施例を説明する。
図１は、本願請求項１によるペットボトル製飼育ケースの斜視図である。
ペットボトルは、清涼飲料の容器に使われていた口筒部が細く作られた合成樹脂製の細口瓶が再利用されている。
ペットボトルは、商品名等が表示されていた被覆シートが剥がされ、透明のペットボトル１となっている。
ペットボトルは、容量５００ｍｌ、高さ略２１ｃｍ、胴径略６５ｍｍ、口径略２１ｍｍのものが用いられている。ペットボトルの肩部２に径略３ｍｍの通気孔３が７箇所電気ドリルにより開けられている。
ペットボトルの口筒部４にはキャップ５が被せられている。
以上のようにして、ペットボトル製飼育ケースＡが作られている。
【実施例２】
【００１４】  図２は、本願請求項２による昆虫等の飼育セットの斜視図である。
前記同様にして作られた、通気孔が設けられた透明のペットボトル製飼育ケースに、採集されたコガネムシ６が収容され、昆虫等の飼育セットＢとされている。
ペットボトル製飼育ケースには、望ましい実施形態として、コガネムシの採集日が飼育基準日として表示されている。
また、この飼育基準日の表示７は、望ましい実施形態として商品名表示シール８に昆虫名表示９と合わせて表示されている。
【実施例３】
【００１５】  図３は、本願請求項３による昆虫等の飼育セットの斜視図である。
前記同様にして作られた、通気孔が設けられた透明のペットボトル製飼育ケースに、コガネムシ６と共に緩衝材兼休息具１０としてスティック状のスポンジが収容され、昆虫等の飼育セットＢとされている。なお、緩衝材兼休息具１０としてのスティック状スポンジには、望ましい実施形態として砂糖水１１を含ませ、餌と水分の補給を図っている。
【図面の簡単な説明】
【００１６】
【図１】本願請求項１によるペットボトル製飼育ケースの斜視図である。
【図２】本願請求項２による昆虫等の飼育セットの斜視図である。
【図３】本願請求項３による昆虫等の飼育セットの斜視図である。
【符号の説明】
【００１７】１  透明のペットボトル
２  肩部
３  通気孔
４  口筒部
５  キャップ
６  コガネムシ
７  飼育基準日の表示
８  商品名表示シール
９  昆虫名表示
１０  緩衝材兼休息具
１１  砂糖水
Ａ  ペットボトル製飼育ケース
Ｂ  昆虫等の飼育セット
【図１】
2006271353.tif 000003
【図２】
2006271353.tif 000004
【図３】
2006271353.tif 000005